(57)【要約】  収納可能な表示プレート（１０）を有する携帯電話機（１）において、筐体（３）に表示プレート（１０）を出し入れするためのプレート用開口（４）を設ける。また、この筐体（３）にプレート用開口（４）を跨ぐように支柱（４ａ）を設ける。表示プレート（１０）において、支柱（４ａ）が通過することにより表示プレート（１０）をプレート用開口（４）の内部で移動させて表示プレート（１０）の位置を変更可能とするスリット（１３）を形成する。
2016170753.tif 000002
【特許請求の範囲】
【請求項１】
収納可能な可動体を有する電子機器において、
上記可動体を出し入れするための可動体用開口を有する筐体と、
上記筐体に上記可動体用開口を跨ぐように設けられた支柱とを備え、
上記可動体には、上記支柱が通過することにより、該可動体を上記可動体用開口の内部で移動させて該可動体の位置を変更可能とするスリットが形成されている
ことを特徴とする電子機器。
【請求項２】
請求項１に記載の電子機器において、
上記スリットは、少なくとも１つ以上の折れ曲がる点を有する
ことを特徴とする電子機器。
【請求項３】
請求項２に記載の電子機器において、
上記可動体は、一方向に長く、
上記スリットは、上記支柱の挿入口から上記可動体の長手方向へ上記折れ曲がる点に向かって延び、該折れ曲がる点から上記支柱を中心に上記可動体を回動させる回動部まで延びており、
上記可動体が上記筐体に収納されているときに可動体用開口から覗く側面における、上記支柱からの長さが長い方には、上記可動体を引き出すように回動させる引っ掛け部が形成されている。
ことを特徴とする電子機器。
【請求項４】
請求項２又は３に記載の電子機器において、
上記可動体は、一方向に長く、
上記スリットは、上記支柱の挿入口から上記可動体の長手方向へ上記折れ曲がる点に向かって延び、該折れ曲がる点から上記支柱を中心に上記可動体を回動させる回動部まで延びており、
上記可動体が上記筐体に収納されているときに可動体用開口から覗く側面における、上記支柱からの長さが短い方には、上記可動体を押込ながら回動させる押込部が形成されている。
ことを特徴とする電子機器。
【請求項５】
請求項４に記載の電子機器において、
上記押込部は、上記可動体の長手方向へ上記回動部から離れるにつれて上記可動体用開口に向かうように突出している
ことを特徴とする電子機器。
【請求項６】
請求項１から５のいずれか１つに記載の電子機器において、
上記支柱の断面は、矩形状であり、上記スリットの該支柱への挿入側の幅は、該支柱の長辺の長さよりも狭い
ことを特徴とする電子機器。
【請求項７】
請求項１から６のいずれか１つに記載の電子機器において、
上記スリットにおける上記支柱への挿入側と反対側部分の幅は、上記支柱の長辺の長さよりも広い
ことを特徴とする電子機器。
【請求項８】
請求項７に記載の電子機器において、
上記可動体は、板状であり、上記支柱への挿入側と反対側の、上記支柱を中心に上記可動体を回動させるための回動部を除く、上記スリットの上から表示用のシールが貼り付けられている
ことを特徴とする電子機器。
【請求項９】
請求項８に記載の電子機器において、
上記表示用のシールは、上記可動体の両面に貼り付けられている
ことを特徴とする電子機器。
【発明の詳細な説明】
【技術分野】
【０００１】
本発明は、識別番号が表示された表示プレート等の可動体を有する電子機器に関するものである。
【背景技術】
【０００２】
ＩＭＥＩ（International Mobile Equipment Identifier）は、国際移動体装置識別番号（端末識別番号）を意味し、携帯電話機やデータ通信カードが１台ずつ持っている識別番号であり、原則として、各電子機器はそれぞれ異なる番号を有する。この識別番号は、通常１５桁の数字からなっており、装置を製造したメーカーと機種を示す番号、生産国、固体に割り振られたシリアル番号、ＩＭＥＩが正しい内容であることを検証するためのチェックデジットが含まれている。このＩＭＥＩ、製造番号等の重要情報は、筐体内のいずれかに設けた可動体に記載されることが知られている。【０００３】
例えば特許文献１のように、照明器具の固有情報を表示する表示部を、カバーの端部に設け、本体の固有情報を確認する必要が生じたときに、このカバーの表示部により外観からその照明器具の固有情報を判別するものが知られている。
【先行技術文献】
【特許文献】
【０００４】
【特許文献１】特開２００９−４３５０１号公報
【発明の概要】
【発明が解決しようとする課題】
【０００５】
特許文献１のような比較的大きな機器では、目立たない位置に表示部を設けることができるが、小型の電子機器では、製品に表示可能な領域を確保するのが困難である。このことから、引き出し式のトレイを必要なときだけ引き出して確認することが行われている。【０００６】
しかし、携帯情報端末などでは、さらなる薄型化の要請により、トレイ等の可動体を出し入れするための可動体用開口の強度不足が発生してきている。強度不足解消のために可動体用開口に支柱を設ければ、トレイの出し入れが困難になる。【０００７】
本発明は、かかる点に鑑みてなされたものであり、その目的とするところは、可動体用開口を補強しながら可動体の出し入れを容易にすることにある。
【課題を解決するための手段】
【０００８】
上記の目的を達成するために、この発明では、可動体側に可動体用開口に設けた支柱を通過させるスリットを設けた。【０００９】
具体的には、本発明では、収納可能な可動体を有する電子機器を前提とし、この電子機器は、
上記可動体を出し入れするための可動体用開口を有する筐体と、
上記筐体に上記可動体用開口を跨ぐように設けられた支柱とを備え、
上記可動体には、上記支柱が通過することにより、上記可動体を上記可動体用開口の内部で移動させて該可動体の位置を変更可能とするスリットが形成されている。【００１０】
上記の構成によると、可動体用開口を跨ぐように支柱を設けたので、可動用開口を大きくしたことによる筐体の強度低下が防止されると共に、スリットにより、可動体のスムーズな出し入れが可能となる。このため、筐体の大きさを大きくすることなく、可動体に重要な情報等の表示が可能となる。
【発明の効果】
【００１１】
以上説明したように、本発明によれば、スリットに支柱を通過させながら可動体を可動体用開口の内部で移動させて可動体の位置を変更可能としたことにより、可動体用開口を補強しながら可動体の出し入れを容易にすることができる。
【図面の簡単な説明】
【００１２】
【図１】表示プレート、プレート用開口及びその周辺を拡大して示す斜視図である。
【図２】本発明の実施形態に係る携帯電話機及びその一部を拡大して示す斜視図である。
【図３】携帯電話機を示す分解斜視図である。
【図４Ａ】表示プレート、支柱及びその周辺を拡大して示す斜視図であり、開閉部を支柱に押し込む様子を示す。
【図４Ｂ】表示プレート、支柱及びその周辺を拡大して示す斜視図であり、支柱が折曲部内にある様子を示す。
【図５Ａ】表示プレート、支柱及びその周辺を拡大して示す斜視図であり、回動後の様子を示す。
【図５Ｂ】表示プレート、支柱及びその周辺を拡大して示す斜視図であり、支柱が回動部内にある様子を示す。
【図６】図２のVI−VI線拡大断面図である。
【図７】表示プレートを示す背面図である。
【図８】本発明の実施形態２に係る図６相当図である。
【図９】本発明の実施形態３に係る図６相当図である。
【図１０】本発明の実施形態４に係る表示プレート及びその周辺を示す拡大断面図である。
【図１１】本発明の実施形態４に係る表示プレートを回動させる様子を示す拡大断面図である。
【図１２】本発明の実施形態４の比較例に係る表示プレート及びその周辺を示す拡大断面図である。
【図１３】本発明の実施形態４の比較例に係る表示プレートを回動させる様子を示す拡大断面図である。
【図１４】本発明の実施形態４の変形例に係る表示プレートを示す拡大正面図である。
【図１５】本発明の実施形態５に係る表示プレートを示す図７相当図である。
【図１６】本発明の実施形態６に係る表示プレートを示す拡大正面図である。
【発明を実施するための形態】
【００１３】
以下、本発明の実施形態を図面に基づいて説明する。
【００１４】
（実施形態１）
図２及び図３は本発明の実施形態１の電子機器としての携帯電話機１（スマートフォン）を示し、この携帯電話機１は、例えばタッチパネルを含む液晶表示部２を収容する筐体３を備え、この筐体３の背面側が板状の背面パネル５で覆われている。筐体３の背面中央には、バッテリ６が収容され、下側にはメイン基板７が収容され、上側にはサブ基板８が収容されている。
【００１５】
サブ基板８の背面は、例えば平板状のアンテナ部材９で覆われている。本実施形態では、このアンテナ部材９の正面とサブ基板８の背面との間に可動体としての表示プレート１０が収容可能となっている。なお、このアンテナ部材９は、なくてもよい。表示プレート１０は、筐体３の上端に開口した例えば左右に長い長円形状の可動体用開口としてのプレート用開口４から収容及び確認可能となっている。プレート用開口４では、ＳＩＭカード１１等も出し入れ可能となっており、その出し入れのしやすさを確保するためにも、形状は比較的左右に長くなっている。図３及び図６に示すように、プレート用開口４は、例えばコネクタカバー１２によって塞がれて防水及び防塵されている。表示プレート１０は、例えば、樹脂成形品で構成されているが、薄い金属などスリット幅を広げて取り付けることができるものであれば特に限定されない。
【００１６】
そして、図１に示すように、この筐体３には、プレート用開口４を跨ぐように携帯電話機１の厚さ方向に延びる支柱４ａが一体に設けられている。本実施形態では、支柱４ａは、筐体３の成形時に一体に成形され、例えば、その断面は図４Ａに示すように、長辺の長さＬ２で短辺の長さがＬ１の矩形状（長方形状）をしている（Ｌ１＜Ｌ２）。支柱４ａを一体に設けるようにしたので、製造が容易な上に強度を確保しやすくなっている。
【００１７】
一方、図７にも示すように、表示プレート１０には、支柱４ａが通過することにより、表示プレート１０をプレート用開口４の内部で移動させて表示プレート１０の位置を変更可能とするスリット１３が形成されている。スリット１３は、先端に設けられた通常時は閉じていて支柱４ａを通過させるときに開く開閉部１３ａと、そこから長手方向に直線状に延び、支柱４ａの長辺の長さＬ２よりも狭い幅Ｗ１（Ｗ１＜Ｌ２）の直線部１３ｂと、この直線部１３ｂの奥側に形成された円形状の折曲部１３ｃと、この折曲部１３ｃから垂直に曲がり、長辺の長さＬ２よりも幅が若干広い幅Ｗ２（Ｗ２＞Ｌ２）の垂直部１３ｄと、この垂直部１３ｄの終点に設けた幅がＬ２よりも狭くなった幅狭部１３ｅと、その先の略矩形状で各辺の幅が長辺の長さＬ２よりも若干広い回動部１３ｆとを有する。なお、このスリット１３の形状は、これに限定されず、２つ以上の折れ曲がる点を有していてもよい。回動部１３ｆの近傍には、表示プレート１０を回動させて表示を確認するための引っ掛け部１０ａが形成されている。引っ掛け部１０ａは、表示プレート１０の収容状態でプレート用開口４から覗く表示プレート１０の左右方向側面における、支柱４ａからの長さが長い方（図１でいえば、左右の長さの長い右側）に形成されている。
【００１８】
次いで、具体的なこの表示プレート１０の出し入れ手順について説明する。図１、図４Ａ、図４Ｂ、図５Ａ及び図５Ｂでは、見やすくするために背面パネル５及びアンテナ部材９を取り外している。  
【００１９】
まず、図４Ａに示すように、開閉部１３ａを支柱４ａに押し当てながら広げ、支柱４ａを直線部１３ｂ内に挿入する。このように表示プレート１０の先端を開閉できるようにしたので、携帯電話機１を組み立てた後にでも表示プレート１０の脱着を行うことができ、構造を極めて簡単なものとすることができる。
【００２０】
次いで、開閉部１３ａを開いたまま直線部１３ｂを押し広げながら表示プレート１０をさらに押し込み、図４Ｂに示すように、支柱４ａを折曲部１３ｃまで進めると、幅が広くなるので、開閉部１３ａが閉じて安定する。なお、直線部１３ｂの幅Ｗ１を支柱４ａの長辺Ｌ２よりも狭くしてスリット１３の面積を小さくしているので、スリット１３による表示プレート１０の強度低下を最小限としている。
【００２１】
次いで、表示プレート１０を９０度回動させ、図５Ａの状態とする。
【００２２】
さらに表示プレート１０を押し込んで支柱４ａを垂直部１３ｄを通過させ、さらに強く押し込んで幅狭部１３ｅを通過させ、図１に示すように、回動部１３ｆ内に支柱４ａが来るようする。
【００２３】
次いで、幅の広い回動部１３ｆ内で支柱４ａが移動するように、表示プレート１０を１８０度回動させ、図５Ｂに示す位置とする。回動部１３ｆの大きさを支柱４ａの長辺Ｌ２よりも大きくしているので、回動が容易である。
【００２４】
すると、直線部１３ｂ、折曲部１３ｃ、垂直部１３ｄ等がプレート用開口４から外に再び現れる。
【００２５】
次いで、その状態で、直線部１３ｂ、折曲部１３ｃ及び垂直部１３ｄを塞ぐように、表示シール１４を貼り付ける。表示シール１４には、ＩＭＥＩ、製造番号等の重要情報が表示されている。表示シール１４を生産工程の最後の段階で貼り付けることができるので、重要情報の管理が容易である。早い段階で表示シール１４を貼り付けてしまうと、生産工程での不良落ちなどがあった場合に重要情報の適切な管理が困難だからである。本実施形態では、表示シール１４を表示プレート１０の片面のみに貼り付けているが、両面に貼り付けてもよい。これにより、表示できる内容が増えて有利となる。
【００２６】
次いで、再び表示プレート１０を１８０度回動させれば、表示プレート１０がプレート用開口４内に収まる。
【００２７】
このようにして取り付けられた表示プレート１０を確認するときには、図１及び図２に示す位置にある表示シール１４が張られた表示プレート１０の引っ掛け部１０ａを指で引っ掛けて１８０度回動させる。
【００２８】
幅狭部１３ｅよりも奥側が表示シール１４で覆われているので、いったん表示シール１４を貼り付けると、支柱４ａは、回動部１３ｆ内しか動けないので、表示プレート１０は回動のみ行える状態となる。このため、支柱４ａのみで表示プレート１０の動きをコントロールでき、受け面やガイドが不要となり、筐体３の小型化が実現されている。さらに、図７に矢印で示すように、引っ掛け部１０ａに指先を掛けて表示プレート１０を回動させるようにしているので、無理に表示プレート１０を引き抜く方向に力を加えにくく、誤って表示シール１４を破ってしまうことがない。
【００２９】
このように、プレート用開口４を跨ぐように支柱４ａを設けたので、可動用開口を大きくしたことによる筐体３の強度低下が防止されると共に、スリット１３により、表示プレート１０のスムーズな出し入れが可能となる。このため、筐体３の大きさを大きくすることなく、重要な情報の表示及び管理が可能となる。
【００３０】
また、折曲部１３ｃを設けたので、表示プレート１０を無理矢理押し込んだり引き出したりしようとしても、垂直部１３ｄ側へ支柱４ａが進みにくい。
【００３１】
また、スリット１３における支柱４ａへの挿入側と反対側部分の幅Ｗ２を支柱４ａの長辺の長さＬ２よりも広くしたので、折曲部１３ｃよりも先では、開閉部１３ａが閉じた状態で安定する。
【００３２】
さらに、支柱４ａへの挿入側と反対側部分の回動部１３ｆを除くスリット１３の上から表示シール１４を貼り付けたので、表示トレイ１０を壊したり、表示シール１４を破ったりせずに表示プレート１０を引き出すことはできず、表示シール１４の他の携帯電話機１への転用が確実に防止されるという極めて優れた利点がある。また、表示シール１４でスリット１３の大部分を塞ぐので、表示プレート１０の強度も確保される。
【００３３】
以上説明したように、本発明によれば、プレート用開口４を補強しながら表示プレート１０の出し入れを容易にすることができる。
【００３４】
（実施形態２）
図８は本発明の実施形態２の携帯電話機１０１を示し、支柱１０４ａの構成が異なる点で上記実施形態１と異なる。なお、以下の各実施形態では、図１〜図７と同じ部分については同じ符号を付してその詳細な説明は省略する。
【００３５】
具体的には、本実施形態の支柱１０４ａは、上記実施形態１と同様に筐体１０３のプレート用開口４を跨ぐように配置されているが、樹脂製の筐体１０３とは別部品の例えば金属製のピンよりなる。例えば、この支柱１０４ａを筐体１０３に形成した貫通孔１０３ａから挿入できるようにすることで、例えば、表示プレート１０に開閉部１３ａを設けなくても、表示プレート１０をプレート用開口４に挿入した後に支柱１０４ａを差し込むことができるので、製造工程の自由度が向上する。また、金属製のピンとすることで、さらに補強効果が向上し、小型化も可能となる。また、表示プレート１０の剛性が向上すると共に、その転用を防止することができる。
【００３６】
なお、金属製の支柱１０４ａをインサート成形で設けてもよい。その場合、表示プレート１０に開閉部１３ａが必要となるが、強度向上の面では有利である。
【００３７】
（実施形態３）
図９は本発明の実施形態３の携帯電話機２０１を示し、筐体２０３及び支柱２０４ａの構成が異なる点で上記実施形態１及び２と異なる。
【００３８】
すなわち、本実施形態では、支柱２０４ａは、筐体２０３の液晶表示部２側に一体に形成されているが、その背面側のプレート用開口４を構成する背面側壁部２０３ａが別部品で構成されている。
【００３９】
この背面側壁部２０３ａを表示プレート１０の取付後に嵌め込むことで、表示プレート１０の開閉部１３ａを設けなくてもよくなり、表示プレート１０の剛性が向上すると共に、背面パネル５及び背面側壁部２０３ａを取り外さない限り、表示プレート１０を取り外せないようにすることができる。
【００４０】
（実施形態４）
図１０及び図１１は本発明の実施形態４の表示プレート３１０を示し、引っ掛け部１０ａではなく、押込部３１５が設けられている点で上記実施形態１〜３と異なる。
【００４１】
すなわち、本実施形態では、プレート用開口４から覗く表示プレート３１０の側面（図１０の上側の面）における支柱４ａから左右方向側面までの長さが短い方、すなわちスリット３１３の挿入孔と反対側に、表示プレート３１０を押込ながら回動させる押込部３１５が形成されている。なお、本実施形態のスリット３１３では、上記実施形態１のような開閉部１３ａが設けられておらず、常時開口している。
【００４２】
ここで、図１２及び図１３に本実施形態の比較例を示す。この比較例では、押込部３１５が表示プレート３１０’のスリット３１３’の挿入口側に設けられている。つまり、実施形態４のものとは、異なる位置に押込部３１５’が設けられている。この表示プレート３１０’を支柱４ａを中心に回動させると、スリット３１３’の挿入口側が筐体３０３の内部に入り込むので、その広い回動範囲には、リブ等を設けることができず、部材等の配置が困難となってしまう上に、プレート用開口４を大きくしなければならず、そうすると見映えが悪化する。
【００４３】
しかし、図１１に示すように、実施形態４の位置に押込部３１５をスリット３１３の挿入口と反対側に設けた場合、表示プレート３１０の支柱４ａからの長さが短い側が筐体３０３の内部に入り込むので、その回動範囲が比較例に比べて制限され、部材等の配置が容易である。
【００４４】
−実施形態４の変形例−
図１４に本発明の実施形態４の変形例に係る表示プレート４１０を示す。本変形例の押込部４１５は、表示プレート４１０の長手方向へ（図１４の左方へ）回動部１３ｆから離れるにつれてプレート用開口４側（図１４の上側）に向かうように突出している。
【００４５】
このようにすれば、実施形態４のように平坦な押込部３１５に比べて押し込むときの回転モーメントを掛ける腕の長さＸが実施形態４のときの腕の長さＹに比べて長くなり（Ｘ＞Ｙ）、軽い力で表示プレート４１０を押し込めるようになる。
【００４６】
（実施形態５）
図１５は本発明の実施形態５の表示プレート５１０を示し、引っ掛け部１０ａだけではなく、押込部５１５も設けられている点で上記実施形態１と異なる。
【００４７】
すなわち、ユーザによっては、引っ掛け部１０ａに指等を引っ掛けるよりも押込部５１５を押す方がよい場合がある。
【００４８】
本実施形態では、引いても押してもよいので、表示プレート５１０の回動操作が極めて容易となる。さらに、表示プレート５１０は、押しても引いても同じ方向に回動するので、表示プレート５１０の周辺の設計は、実施形態１と同じでよい。
【００４９】
（実施形態６）
図１６は本発明の実施形態６の表示プレート６１０を示し、支柱６０４ａの断面が円形であり、スリット６１３の回動部６１３ｆの形状も円形となっている点で上記実施形態４と異なる。
【００５０】
支柱６０４ａ及び回動部６１３ｆの形状は、円形でなくても、半円形、楕円形などの滑らかな形状であればよい。
【００５１】
このようにすれば、回動時の抵抗が減り、より滑らかに表示プレート６１０を押し込むことができる。
【００５２】
（その他の実施形態）
本発明は、上記実施形態について、以下のような構成としてもよい。
【００５３】
すなわち、上記実施形態では、表示プレート１０にＩＭＥＩ、製造番号等の重要情報を表示したが、それに限定されず製品の取扱注意事項など他の事項を表示するようにしてもよい。
【００５４】
また、可動体は、表示プレート１０でなくてもスリット１３を有するプレート状のものであれば特に限定されない。例えば、可動体をＳＩＭカードやＳＤカードを収納するホルダーや、着脱式のカバー等とすることもできる。
【００５５】
上記実施形態では、電子機器は、携帯電話機１としたが、タブレット端末、ＰＨＳ（Personal Handy-phone System ）、ＰＤＡ(Personal Digital Assistant)、パソコン、モバイルツール、電子辞書、電卓、ゲーム機等であってもよく、小型の液晶ディスプレイ、液晶テレビ、ブルーレイディスクレコーダ、ＤＶＤレコーダ等であってもよい。
【００５６】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００５７】
１      携帯電話機（電子機器）
２      液晶表示部
３      筐体
４      プレート用開口（可動体用開口）
４ａ    支柱
５      背面パネル
６      バッテリ
７      メイン基板
８      サブ基板
９      アンテナ部材
１０      表示プレート
１０ａ    引っ掛け部
１１      ＳＩＭカード
１２      コネクタカバー
１３      スリット
１３ａ    開閉部
１３ｂ    直線部
１３ｃ    折曲部
１３ｄ    垂直部
１３ｅ    幅狭部
１３ｆ    回動部
１４      表示シール
１０１      携帯電話機（電子機器）
１０３      筐体
１０３ａ    貫通孔
１０４ａ    支柱
２０１      携帯電話機（電子機器）
２０３      筐体
２０３ａ    背面側壁部
２０４ａ    支柱
３０３      筐体
３１０      表示プレート
３１３      スリット
３１５      押込部
４１０      表示プレート
４１５      押込部
５１０      表示プレート
５１５      押込部
６０４ａ    支柱
６１０      表示プレート
６１３      スリット
６１３ｆ    回動部
【図１】
2016170753.tif 000003
【図２】
2016170753.tif 000004
【図３】
2016170753.tif 000005
【図４Ａ】
2016170753.tif 000006
【図４Ｂ】
2016170753.tif 000007
【図５Ａ】
2016170753.tif 000008
【図５Ｂ】
2016170753.tif 000009
【図６】
2016170753.tif 000010
【図７】
2016170753.tif 000011
【図８】
2016170753.tif 000012
【図９】
2016170753.tif 000013
【図１０】
2016170753.tif 000014
【図１１】
2016170753.tif 000015
【図１２】
2016170753.tif 000016
【図１３】
2016170753.tif 000017
【図１４】
2016170753.tif 000018
【図１５】
2016170753.tif 000019
【図１６】
2016170753.tif 000020
【国際調査報告】
2016170753.tif 000021
2016170753.tif 000022
2016170753.tif 000023
2016170753.tif 000024